(57)【要約】本発明は、２つの対向するメインサイドパネル（１，２）と、半可撓性シート材料の細長い矩形板によって形成されるトラバースアセンブリ（３）と、トラバースを対応するサイドパネル（１，２）の外側表面に固定するための固定手段（１１，１２，１３，１４）と、を含む最適化された折り畳みディスプレイに関する。トラバース（３）は、展開位置から折り畳み位置に斜めに畳むことができる関節接合された菱形を形成するように、トラバース（３）の平面を所定距離だけ離間させる。更に、ディスプレイは、２つのサイドパネル（１，２）の間に配置され、同様の高さに位置するトラバース（３）上に平坦に載置されて、棚アセンブリを形成する少なくとも１つの棚要素（１５）を有する。【選択図】図１０
2018537164.tif 000002
【特許請求の範囲】
【請求項１】
最適化された折り畳みディスプレイであって、
（ａ）互いに所定距離をおいて平行に配置され、ボール紙、木材等を含むグループのうちの剛性シート材料から製造された２つの対向するメインサイドパネル（１，２）であって、それぞれが垂直な第１スロットまたは切断部のセット（９ａ，９ｂ）を有し、前記２つのサイドパネル（１，２）の一方の第１スロットまたは切断部（９ａ）は、前記２つのサイドパネル（１，２）の他方の第１スロットまたは切断部（９ｂ）に対称的に類似しており、前記サイドパネル（１，２）の一方の第１スロットまたは切断部（９ａ，９ｂ）は、前記２つのパネル（１，２）のうちの他方の対応する第１スロットまたは切断部（９ａ，９ｂ）に対面している、メインサイドパネル（１，２）と、
（ｂ）半可撓性シート材料の細長い矩形板によって形成されたトラバースアセンブリ（３）であって、
（ｉ）前記メインサイドパネル（１，２）の分離距離と同じ長さを有する中央領域（４）と、
（ｉｉ）折罫線（６ａ，６ｂ）によって関節接合可能な少なくとも２つの端部領域（５ａ，５ｂ）と、
に分割されるトラバースアセンブリ（３）と、を含み、
（ｃ）前記各トラバース（３）の少なくとも２つの端部領域（５ａ，５ｂ）は、前記サイドパネル（１，２）の対面する第１スロットまたは切断部（９ａ，９ｂ）に同様に通され、前記少なくとも２つの端部領域（５ａ，５ｂ）は、前記折罫線（６ａ，６ｂ）に沿って、前記各サイドパネル（１，２）の対応する外側表面に向けて折り曲げられることによって折り畳まれており、
（ｄ）前記少なくとも２つの端部領域（５ａ，５ｂ）の各々を平坦にして、対応するサイドパネル（１，２）の外側表面に固定するために、前記トラバース（３）の中央領域（４）に隣接する少なくとも２つの端部領域（５ａ，５ｂ）を固定するための、接着剤、ステープル、ファスナ、アンカー等を含むグループのうちの固定手段（１１，１２，１３，１４）を含み、
（ｅ）前記トラバース（３）のうち少なくとも２つは、前記サイドパネル（１，２）の対応する外側表面に接続された前記トラバースアセンブリ（３）が、関節接合された菱形を形成するように、前記トラバース（３）の平面が所定距離だけ離間しており、展開位置から折り畳み位置に斜めに畳むことができ、
（ｆ）前記ディスプレイの２つのサイドパネル（１，２）の間に配置され、かつ、同様の高さに配置された前記トラバース（３）のうち少なくとも２つの上に平坦に載置されて、棚アセンブリを形成する少なくとも１つの棚要素（１５）を含むことを特徴とする、最適化された折り畳みディスプレイ。
【請求項２】
請求項１に記載の最適化された折り畳みディスプレイであって、更に、
（ａ）前記サイドパネル（１，２）の外側表面および前記トラバース（３）の端部領域（５ａ，５ｂ）を被覆するサイドカバー（２０）を含み、
（ｂ）前記サイドカバー（２０）は、
（ｉ）前記サイドパネル（１，２）の外側表面に固定され、
（ｉｉ）ボール紙等を含むグループのうちの材料から製造され、かつ、
（ｉｉｉ）接着剤、ステープル、ファスナ等を含むグループのうちの従来の固定手段によって保持されることを特徴とする、最適化された折り畳みディスプレイ。
【請求項３】
請求項１または２のいずれか一項に記載のディスプレイであって、
前記中央領域（４）および前記２つの隣接する端部領域（５ａ，５ｂ）に加えて、前記トラバース（３）は、前記トラバース（３）の各端部に１つずつ、折罫線（８ａ，８ｂ）によって関節接合可能な２つの付加的な端部領域（７ａ，７ｂ）を含み、前記各トラバース（３）の付加的な端部領域（７ａ，７ｂ）はそれぞれ、前記サイドパネル（１，２）の各々に設けられた第２スロット（１０ａ，１０ｂ）を通って挿入され、前記サイドパネル（１，２）に再度挿入されてリンクを形成し、前記リンクは、対応するトラバース（３）のための保持手段として使用されることを特徴とする、ディスプレイ。
【請求項４】
請求項１〜３のいずれか一項に記載のディスプレイであって、前記ディスプレイは異なる高さに複数の棚アセンブリを有し、前記棚アセンブリは、前記棚要素（１５）および前記トラバース（３）のうち少なくとも２つによって形成されることを特徴とする、ディスプレイ。
【請求項５】
請求項１〜４のいずれか一項に記載のディスプレイであって、前記サイドパネル（１，２）は、前記トラバース（３）の中央領域（４）の長さと同じ幅を有する後部パネル（１６）によって接続され、前記サイドパネル（１，２）は、垂直な接続ラインによって前記後部パネル（１６）に関節接合していることを特徴とする、ディスプレイ。
【請求項６】
請求項５に記載のディスプレイであって、前記サイドパネル（１，２）は、前記棚の間の中間高さに水平な切断ライン（２３ａ，２３ｂ）を有し、また、前記後部パネル（１６）は、前記切断ライン（２３ａ，２３ｂ）の各々の間に延在し、前記切断ラインに整列する折罫線（２４）を有することで、前記ディスプレイの下部および上部を形成し、前記上部は、関節接合可能であり、かつ１８０°まで後方に前記下部上まで折り曲げ可能であることを特徴とする、ディスプレイ。
【請求項７】
請求項１〜６のいずれか一項に記載のディスプレイであって、前記サイドパネル（１，２）のサイドカバー（２０）は、前記サイドパネル（１，２）自体の各々の少なくとも１つのサイド延長部（２１ａ，２１ｂ，２２ａ，２２ｂ，２６ａ，２６ｂ）から形成され、前記サイド延長部（２１ａ，２１ｂ，２２ａ，２２ｂ，２６ａ，２６ｂ）は、前記トラバース（３）の少なくとも２つの端部領域（５ａ，５ｂ）を被覆するまで、それらを折り曲げかつ折り畳むことができる垂直な折罫線によって関節接合されることを特徴とする、ディスプレイ。
【請求項８】
請求項１〜７のいずれか一項に記載のディスプレイであって、前記棚アセンブリの棚要素（１５）を担持する少なくとも２つのトラバース（３）を同じ高さに配置せず、前記棚要素（１５）を前記トラバース（３）に載置する際に、結果的に、前記棚要素（１５）が特定の傾斜角を有することを特徴とする、ディスプレイ。
【請求項９】
請求項４〜８のいずれか一項に記載のディスプレイであって、前記複数の棚アセンブリのうちの棚アセンブリを、それらが組み立てられる高さに応じて相対的に離間させ深さを減少させることで、階段状の構成を有するディスプレイアセンブリを生じさせることを特徴とする、ディスプレイ。
【請求項１０】
請求項１〜９のいずれか一項に記載のディスプレイであって、前記関節接合された菱形の主対角線上に配置された弾性トラクションシステムを更に備え、前記弾性システムは、前記ディスプレイが折り畳み位置にあるとき、前記ディスプレイを展開位置または稼働位置に自発的に遷移させる力を生じさせることを特徴とする、ディスプレイ。
【請求項１１】
請求項２に記載のディスプレイであって、
（ａ）前記棚要素（１５）を担持するための前記トラバース（３）が収容されている前記サイドパネル（１，２）と、前記サイドカバー（２０）と、前記後部パネル（１６）とは、折り畳みライン（２８ａ，２８ｂ，２９ａ，２９ｂ）を有する単一のシート部品（１９）から形成されることで、前記２つのサイドパネル（１，２）は前記シート部品（１９）の側端に配置され、前記後部パネル（１６）は中央に配置され、かつ前記サイドカバー（２０）は前記後部パネル（１６）のいずれかの側面上の中間領域に配置され、
（ｂ）前記サイドパネル（１，２）が前記ディスプレイの側面の内壁を形成するように、アセンブリを折り畳み、前記サイドパネル（１，２）を折り畳みライン（２８ａ，２８ｂ）によって関節接合し、正面に配置して、前記サイドカバー（２０）に接続し、前記サイドカバー（２０）は後部の折り畳みライン（２９ａ，２９ｂ）によって関節接合されて、両側の前記後部パネル（１６）に接続し、
（ｃ）前記サイドパネル（１，２）は、対のスロット（３０）を有しており、逆転したＵ字形状の切断部が残るように、前記スロットの上端部は切断ライン（３０ａ）によって接続され、前記端部領域（５ａ，５ｂ）を通る矩形リングの形態で、その端部で連結された対のトラバース（３）を係合させて、前記端部領域（５ａ，５ｂ）を前記切断部（３０ａ）に通過させることを特徴とする、ディスプレイ。
【請求項１２】
最適化された折り畳みディスプレイであって、
（ａ）シート材料から製造された２つのメインサイドパネル（１，２）であって、それぞれに逆転したＵ字形状の切断部が残るように、その上端部が切断ライン（３０ａ）によって接続されている対のスロット（３０）を有するメインサイドパネル（１，２）と、
（ｂ）前記サイドパネル（１，２）を連結する後部パネル（１６）であって、垂直な接続ラインによって前記サイドパネルに関節接合される後部パネル（１６）と、
（ｃ）折罫線によって関節接合可能であり、前記ディスプレイのサービス位置において、互いに対面しており、同じ高さを有する前記サイドパネル（１，２）の対のスロット（３０）に挿入されるように構成された少なくとも２つのサイドフラップ（１５ａ，１５ｃ）を有する少なくとも１つの棚要素（１５）と、
（ｄ）前記サイドパネル（１，２）および前記少なくとも２つのサイドフラップ（１５ａ，１５ｃ）の外側表面を被覆するサイドカバーと（２０）と、を含み、
（ｅ）前記サイドカバー（２０）は、前記サイドパネル（１，２）の外側表面に固定されており、
（ｆ）前記少なくとも１つの棚要素（１５）、前記メインサイドカバー（２０）および前記後部パネル（１６）が収容されている前記サイドパネル（１，２）は、折り畳みライン（２８ａ，２８ｂ，２９ａ，２９ｂ）を有する単一のシート部品（１９）から形成されることで、前記２つのサイドパネル（１，２）は前記シート部品（１９）の側端部に位置し、前記後部パネル（１６）は中央に位置し、かつ前記サイドカバー（２０）は、前記後部パネル（１６）のいずれかの側面上の中間領域に配置されることを特徴とする、最適化された折り畳みディスプレイ。
【発明の詳細な説明】
【技術分野】
【０００１】
本発明は、最適化された折り畳みディスプレイに関する。このディスプレイは、市販品ディスペンサとして使用することができ、また、シート材料、好ましくはボール紙、または類似の半可撓性材料から構築された折り畳み構造によって形成され、製品をディスプレイするための１つ以上の棚を含み、または収容することができる。
【０００２】
このディスプレイの構造は、平面状または折り畳まれた構成で輸送され、かつ、販売時またはディスプレイ時には自動的に、半自動的に、または組み立てが容易なシステムによって展開される。
【０００３】
このタイプのディスプレイは、通常の製品重量範囲が棚当たり５０ｋｇまでの（この範囲は、使用される材料および追加可能な内部補強材によって可変である）製品サンプルまたは製品サンプルのセットの通常の販売時点において広範に使用されている。
【背景技術】
【０００４】
上述したタイプのうち異なるディスプレイシステムが公知である。それらは、一般的に、ベース構造体と、該構造体に連結し、重量を担持するための棚アセンブリと、から構成される。
【０００５】
このタイプのディスプレイの最も複雑な点は、ディスプレイの体積を低減させた状態で輸送するための折り畳みシステムに関する。この特徴は、重要な利便性および重要なロジスティック上の利点を表し、達成するのが望ましい特性である。従って、実装および革新を達成するために、多くの開発者および発明者が、この意味で極めて努力してきた。
【０００６】
特許文献１は、販売を目的とした製品をディスプレイおよび支持するための、任意の軽量な半剛性材料、好ましくはボール紙またはプラスチックから製造された自己組立て式折り畳みディスプレイを開示している。このディスプレイは、後部領域と、下方のベースボードによって正面で接続される２つのサイドフラップと、によって形成される本体を含む。後部領域およびベースボードの両方に、ディスプレイが展開されると完全に直線的な蛇腹状の折り畳みラインが生じる。更に、ディスプレイには、複数の棚を側面のうちの１つに固定し、他方の側面に設けられた手段の重力によって他方の側面を支持するための接続手段を有する複数の棚が設けられている。従って、ディスプレイは、その中に棚を収めつつ平坦に折り畳むことができる。
【０００７】
特許文献２は、ダイカットおよびベントシートから得られる、単一シートのシート材料を少なくとも２つの垂直な折り畳みラインに沿って折り曲げることによって生じる、少なくとも３つの外側ベアリング壁を有する折り畳み式棚システムを開示している。この３つの壁により、棚システムを直立状態に保持することができる。ベアリング壁の一部からの１セットの棚は、ダイカットおよび折り曲げによって得られ、棚はベアリング壁に垂直となる。
【０００８】
特許文献３は、底部、側面、空中棚、ベースの棚および延長部から構成され、展開によって組み立て可能なディスプレイを開示している。該ディスプレイの主な特徴は、ディスプレイの部品が互いに適切に接着された状態で予め組み立てられて供給される点にある。組み立ては、展開、折り曲げ、およびその部品を組み合わせることによって実施される。逆に、ディスプレイを折り畳んで包装して別の場所に輸送することもできる。
【０００９】
特許文献４は、ポリプロピレンから製造された多層構造のパネルを含むモジュール式折り畳みスタンドを開示している。このスタンドは、第１パネルを後面、左側面および右側面に分割する２つの垂直な折り目を含む。側面部分は、後面に向けて１８０°まで折り畳まれる。後面は複数の水平スロットを含み、側面部分は複数のスロットに対応する複数の孔を含む。更に、側面の孔に挿入可能な複数のロッドが設けられている。ポリプロピレンの多層構造を含む複数の棚は該ロッド上に載置され、後部パネルのスロットに挿入されるフラップを含む。
【００１０】
特許文献５は、半剛性材料から製造され、２つの側壁および少なくとも１つのベアリング板によって接続されたフロントパネルおよび底壁を含むディスプレイを開示している。該ディスプレイは折り畳み可能であり、該フロント部分および該底壁は互いに対して配置されている。
【００１１】
現在の技術水準で言及されるディスプレイは、その機能的な目的を果たしているが、本発明によって達成されるような単純化および性能を達成していない。本発明の特徴を以下に説明する。
【先行技術文献】
【特許文献】
【００１２】
【特許文献１】スペイン国特許出願公開第２３７９３３４（Ａ１）号明細書
【特許文献２】スペイン国実用新案第１１１０００５（Ｕ）号明細書
【特許文献３】スペイン国特許出願公開第２２９３７８４（Ａ１）号明細書
【特許文献４】欧州特許出願公開第２５４８４７７（Ａ２）号明細書
【特許文献５】仏国実用新案証公開第２９８４７０５（Ａ３）号明細書
【発明の概要】
【００１３】
本発明の目的は、この欠点を克服することである。これは、上記のタイプの最適化された折り畳みディスプレイによって達成されるが、このディスプレイは、
（ａ）互いに所定距離をおいて平行に配置され、ボール紙、木材等を含むグループのうちの剛性シート材料から製造された２つの対向するメインサイドパネルであって、それぞれが垂直な第１スロットまたは切断部のセットを有し、前記２つのサイドパネルの一方の第１スロットまたは切断部は、前記２つのサイドパネルの他方の第１スロットまたは切断部に対称的に類似しており、前記サイドパネルの一方の第１スロットまたは切断部は、前記２つのパネルのうちの他方の対応する第１スロットまたは切断部に対面している、メインサイドパネルと、
（ｂ）半可撓性シート材料の細長い矩形板によって形成されたトラバースアセンブリであって、
（ｉ）前記メインサイドパネルの分離距離と同じ長さを有する中央領域と、
（ｉｉ）折罫線によって関節接合可能な少なくとも２つの端部領域と、
に分割されるトラバースアセンブリと、を含み、
（ｃ）前記各トラバースの少なくとも２つの端部領域は、前記サイドパネルの対面する第１スロットまたは切断部に同様に通され、前記少なくとも２つの端部領域は、前記折罫線に沿って、前記各サイドパネルの対応する外側表面に向けて折り曲げられることによって折り畳まれており、
（ｄ）前記少なくとも２つの端部領域の各々を平坦にして、対応するサイドパネルの外側表面に固定するために、前記トラバースの中央領域に隣接する前記少なくとも２つの端部領域を固定するための、接着剤、ステープル、ファスナ、アンカー等を含むグループのうちの固定手段を含み、
（ｅ）前記トラバースのうち少なくとも２つは、前記サイドパネルの対応する外側表面に接続された前記トラバースアセンブリが、関節接合された菱形を形成するように、前記トラバースの平面が所定距離だけ離間しており、展開位置から折り畳み位置に斜めに畳むことができ、
（ｆ）前記ディスプレイの２つのサイドパネルの間に配置され、かつ、同様の高さに配置された前記トラバースのうち少なくとも２つの上に平坦に載置されて、棚アセンブリを形成する少なくとも１つの棚要素を含むことを特徴とする。
【００１４】
本発明は、特に、前記ディスプレイを構築するプロセス中の処理時間の大幅な短縮を達成することに焦点を当てた、簡素化された構造を有するディスプレイを提供する。この利点は、生産コストの削減という点で重要なものであり、従って、その類の他のディスプレイと比較して非常に競争力のある製品として分類することができる。
【００１５】
システム要素の組み合わせにより、同じ材料で構築された他の同様のディスプレイに対して、耐荷重の高い棚要素を保持するための構造を暗黙的かつ自然に提供する。
【００１６】
本発明の別の特徴によれば、最適化された折り畳みディスプレイは、更に、
（ａ）前記サイドパネルの外側表面および前記トラバースの端部領域を被覆するサイドカバーを含み、
（ｂ）前記サイドカバーは、
（ｉ）前記サイドパネルの外側表面に固定され、
（ｉｉ）ボール紙等を含むグループのうちの材料から製造され、かつ、
（ｉｉｉ）接着剤、ステープル、ファスナ等を含むグループのうちの従来の固定手段によって保持される。
【００１７】
本発明の別の特徴によれば、前記中央領域および前記２つの隣接する端部領域に加えて、前記トラバースは、前記トラバースの各端部に１つずつ、折罫線によって関節接合可能な２つの付加的な端部領域を含む。ここで、前記各トラバースの付加的な端部領域はそれぞれ、前記サイドパネルの各々に設けられた第２スロットを通って挿入され、前記サイドパネルに再度挿入されてリンクを形成し、前記リンクは、対応するトラバースのための保持手段として使用される。
【００１８】
本発明の別の特徴によれば、前記ディスプレイは異なる高さに複数の棚アセンブリを有し、前記棚アセンブリは、前記棚要素および前記トラバースのうち少なくとも２つによって形成される。
【００１９】
本発明の別の特徴によれば、前記サイドパネルは、前記トラバースの中央領域の長さと同じ幅を有する後部パネルによって接続され、前記サイドパネルは、垂直な接続ラインによって前記後部パネルに関節接合している。
【００２０】
本発明の別の特徴によれば、前記サイドパネルは、前記棚の間の中間高さに水平な切断ラインを有し、また、前記後部パネルは、前記切断ラインの各々の間に延在し、切断ラインに整列する折罫線を有することで、前記ディスプレイの下部および上部を形成し、前記上部は、関節接合可能であり、かつ１８０°まで後方に前記下部上まで折り曲げることができる。
【００２１】
本発明の別の特徴によれば、前記サイドパネルのサイドカバーは、サイドパネル自体の各々の少なくとも１つのサイド延長部から形成され、前記サイド延長部は、前記トラバースの少なくとも２つの端部領域を被覆するまで、それらを折り曲げかつ折り畳むことができる垂直な折罫線によって関節接合される。
【００２２】
本発明の別の特徴によれば、棚アセンブリの前記棚要素を担持する少なくとも２つのトラバースを同じ高さに配置せず、棚要素を前記トラバースに載置する際に、結果的に、前記棚要素が特定の傾斜角を有するようにする。
【００２３】
本発明の別の特徴によれば、前記複数の棚アセンブリのうちの棚アセンブリを、それらが組み立てられる高さに応じて相対的に離間させ深さを減少させることで、階段状の構成を有するディスプレイアセンブリを生じさせる。
【００２４】
本発明の別の特徴によれば、ディスプレイは、前記関節接合された菱形の主対角線上に配置された弾性トラクションシステムを更に備え、前記弾性システムは、前記ディスプレイが折り畳み位置にあるとき、前記ディスプレイを展開位置または稼働位置に自発的に遷移させる力を生じさせる。
【００２５】
優先権の年度中に実施され、本発明によるディスプレイの性能を更に改善する本発明の他の付加的な改良を、以下に記載する。
【００２６】
本発明の別の特徴によれば、前記棚要素を担持するための前記トラバースが収容されている前記サイドパネルと、前記サイドカバーと、前記後部パネルとは、折り畳みラインを有する単一のシート部品から形成されることで、前記２つのサイドパネルは前記シート部品の側端に配置され、前記後部パネルは中央に配置され、かつ前記サイドカバーは前記後部パネルのいずれかの側面上の中間領域に配置されるようにする。また、前記サイドパネルが前記ディスプレイの側面の内壁を形成するように、アセンブリを折り畳み、前記サイドパネルを折り畳みラインによって関節接合し、正面に配置して、前記サイドカバーに接続し、前記サイドカバーを後部の折り畳みラインによって関節接合して、両側の前記後部パネルに接続する。また、前記サイドパネルは、対のスロットを有しており、逆転したＵ字形状の切断部が残るように、スロットの上端部を切断ラインによって接続し、前記端部領域を通る矩形リングの形態で、その端部で連結された対のトラバースを係合させて、前記端部領域を前記切断部に通過させる。
【００２７】
結果として、一旦トラバースおよび棚要素が配置されると、サイドパネルはトラバース自体およびその内面の棚要素によって保持され、接着剤、ファスナ、ネジ等の他の固定手段を回避する故に、アセンブリは自己組立てする。アセンブリをよりコンパクトに折り畳むために、折り畳みラインは垂直であることが好ましい。
【００２８】
本発明の別の特徴によれば、ディスプレイは、シート材料から製造された２つのメインサイドパネルであって、それぞれに逆転したＵ字形状の切断部が残るように、その上端部が切断ラインによって接続されている対のスロットを有する前記メインサイドパネルと、前記サイドパネルを連結する後部パネルであって、垂直な接続ラインによって前記サイドパネルに関節接合される前記後部パネルと、折罫線によって関節接合可能であり、前記ディスプレイのサービス位置において、互いに対面しており、同じ高さを有する前記サイドパネルの対のスロットに挿入されるように構成された少なくとも２つのサイドフラップを有する少なくとも１つの棚要素と、前記サイドパネルおよび前記少なくとも２つのサイドフラップの外側表面を被覆するサイドカバーと、を含み、前記サイドカバーは、前記サイドパネルの外側表面に固定されており、前記少なくとも１つの棚要素、前記メインサイドカバーおよび前記後部パネルが収納されている前記サイドパネルは、折り畳みラインを有する単一のシート部品から形成されることで、前記２つのサイドパネルは前記シート部品の側端部に位置し、前記後部パネルは中央に位置し、かつ前記サイドカバーは、前記後部パネルのいずれかの側面上の中間領域に配置する。結果的に、必要なダイが少なくて済む故に、製造コストおよび組立てコストを大幅に削減する。相乗的に、この構成は、サイドパネル、後部パネルおよびサイドカバーを形成するシート部品の構成の結果としてディスプレイが組み立てられた状態で保持される故、任意のタイプの保持手段を不要とすることができる。シート部品は好ましくは矩形であり、折り畳みラインは好ましくは垂直である。
【００２９】
首尾一貫したアセンブリの構造の結果として、接着剤または取り付け要素を使用せずにディスプレイを構築することができ、最先端技術で知られているディスプレイに関する競争力の点で最上の選択肢となる。
【００３０】
本発明をよりよく理解するために、本発明の実施形態の図面を、非限定的な実施例として含むものとする。
【図面の簡単な説明】
【００３１】
【図１】最も基本的な形態のトラバースを示す説明図である。
【図２】一対のトラバースがメインサイドパネルに組み付けられる方法を示す説明図である。
【図３】一対のトラバースがメインサイドパネルに組み付けられる方法を示す説明図であって、更に、例えば、接着剤等の端部領域用の可能な固定手段を示す説明図である。
【図４】折罫線によって関節接合されている、各側面に２つの端部領域を有するトラバースを示す説明図である。
【図５】図４による２つの端部領域を有するトラバースが、前記パネルに設けられた付加的なスロットによってメインサイドパネルに組み付けられる方法を示す説明図である。
【図６】図４による２つの端部領域を有するトラバースが、前記パネルに設けられた付加的なスロットによってメインサイドパネルに組み付けられる方法を示す説明図である。
【図７Ａ】トラバースの端部領域をメインサイドパネルに固定する方法を示す説明図である。
【図７Ｂ】トラバースの端部領域をメインサイドパネルに固定する方法を示す説明図である。
【図７Ｃ】トラバースの端部領域をメインサイドパネルに固定する方法を示す説明図である。
【図８Ａ】後部パネルを有するディスプレイおよび棚要素の配置方法を示す説明図である。
【図８Ｂ】後部パネルを有するディスプレイおよび棚要素の配置方法を示す説明図である。
【図９Ａ】ディスプレイを対角線上に平らにすることによるディスプレイの折り畳み方法を示す説明図である。
【図９Ｂ】ディスプレイを対角線上に平らにすることによるディスプレイの折り畳み方法を示す説明図である。
【図９Ｃ】ディスプレイを対角線上に平らにすることによるディスプレイの折り畳み方法を示す説明図である。
【図１０】サイドカバーをディスプレイに組み付ける方法および完成品を示す説明図である。
【図１１】サイドカバーをディスプレイに組み付ける方法および完成品を示す説明図である。
【図１２Ａ】メインサイドパネル自体の延長部から形成されたサイドカバーの例を示す説明図である。
【図１２Ｂ】メインサイドパネル自体の延長部から形成されたサイドカバーの例を示す説明図である。
【図１３】メインサイドパネル自体の延長部から形成されたサイドカバーの例を示す説明図である。
【図１４】高さに応じて棚の深さが変化するディスプレイと、ある傾きを有する棚要素とを示しており、オプションのブラケットも含まれる説明図である。
【図１５】側面を切断ラインによって分割したディスプレイの可能性を示しており、その結果として、２倍だけ小さな形状に折り畳み可能なアセンブリの説明図である。
【図１６Ａ】側面を切断ラインによって分割したディスプレイの可能性を示しており、その結果として、２倍だけ小さな形状に折り畳み可能なアセンブリの説明図である。
【図１６Ｂ】側面を切断ラインによって分割したディスプレイの可能性を示しており、その結果として、２倍だけ小さな形状に折り畳み可能なアセンブリの説明図である。
【図１７Ａ】矩形リングの形態で、端部で連結された対のトラバースによってその内部にトラバースアセンブリを形成したディスプレイと、前記矩形リングが、メインサイドパネルに設けられた対の逆転したＵ字形状のスロットに嵌合する方法と、を示す説明図である。
【図１７Ｂ】矩形リングの形態で、端部で連結された対のトラバースによってその内部にトラバースアセンブリを形成したディスプレイと、前記矩形リングが、メインサイドパネルに設けられた対の逆転したＵ字形状のスロットに嵌合する方法と、を示す説明図である。
【図１８Ａ】棚要素に固定フラップを組み込んだ本発明によるディスプレイを示す説明図である。
【図１８Ｂ】棚要素に固定フラップを組み込んだ本発明によるディスプレイを示す説明図である。
【図１９】図１８Ａおよび図１８Ｂのディスプレイの代替的な実施形態を示す説明図である。
【発明を実施するための形態】
【００３２】
簡略化および明瞭化のために、図面の大部分は、必要不可欠ではないと考えられる特定の細部の詳細を示さずに、図式的な形態のディスプレイを示すことにする。
【００３３】
最初に、図１は、最も基本的な形態のトラバースアセンブリ３の好適な実施形態を示しており、中央領域４と、２つの端部領域５ａおよび５ｂと、異なる領域を関節接合可能な折罫線６ａおよび６ｂと、前記端部領域５ａおよび５ｂを固定するための固定手段１１，１２，１３，１４を補助するのに有用なオプションのスロット１７と、を示している。
【００３４】
ディスプレイの好ましい基本的な実施形態は、図２および図３に示されるようなアセンブリから始まる。トラバース３の端部領域５ａおよび５ｂをメインサイドパネル１および２に設けられた第１スロット９ａおよび９ｂに通して、トラバース３をメインサイドパネル１および２に組み付ける。続いて、それらを折罫線６ａおよび６ｂに沿って折り畳み、最終的に固定を目的とした固定手段１１，１２，１３，１４によってパネルの外側表面に固定する。以下の図面に示すように、棚要素１５が配置されると、基本的なディスプレイが完成する。
【００３５】
図４は、２つの付加的な端部領域７ａおよび７ｂを有するトラバース３の実施形態を示しており、図５および図６は、前記トラバース部３が、前記サイドパネル１および２に設けられた付加的な第２スロット１０ａ，１０ｂによってメインサイドパネル１および２に組み付けられる方法を示している。トラバース３の各側面の２つの付加的な端部領域７ａおよび７ｂは、第１スロット９ａ，９ｂを通じて挿入される。次に、それらは折罫線８ａ，８ｂ，６ａ，６ｂに沿って折り曲げられ、最終的に、付加的な端部領域７ａ，７ｂは、第２スロット１０ａ，１０ｂを通じて再挿入される。前記アセンブリは、前記トラバース３およびその端部領域の固定手段として有用である。
【００３６】
図７Ａ、図７Ｂおよび図７Ｃは、トラバース３の端部領域５ａ，５ｂをメインサイドパネル１および２に固定するための固定手段の好適な実施形態を示す。図面は、図７Ａにてリベット、ネジまたはファスナシステム１２を示し、図７Ｂにて突出タブシステム１３を示し、かつ、端部領域５ａおよび５ｂが、２つの隣接する第１スロット９ａを通って対応するサイドパネル１，２を挟む単一領域１４に融合されたシステムを示している。
【００３７】
図８Ａおよび図８Ｂに概略的に示す好適な実施形態では、ディスプレイは、２つのメインサイドパネル１および２を接続する後部パネル１６を備える。後部パネル１６は、垂直な接続ラインを介してメインサイドパネル１および２に関節接合している。図面は、更に、棚要素１５の配置方法を示している。
【００３８】
本発明の別の特徴によれば、記載されたディスプレイは、平坦な構成を達成するまで折り畳むことができ、このプロセスは図９Ａ、図９Ｂおよび図９Ｃに示されている。トラバース３の平行な構成の結果として、トラバース３並びにサイドパネル１および２の全ての表面が最終的に同一平面上になるまで、斜めに折り畳むことができる菱形の形状に従ってトラバース３を関節接合することができる。
【００３９】
図１０および図１１に示された本発明の別の好適な実施形態では、トラバースアセンブリ３並びにメインサイドパネル１および２に加えて、ディスプレイは、前記メインサイドパネル１および２の外側表面に固定されるサイドカバー２０を含むことによって、トラバース３の後面並びに端部５ａおよび５ｂを覆い隠す。
【００４０】
本発明の別の好適な実施形態によれば、サイドカバー２０は、メインサイドパネル１および２自体の延在部または延長部２１ａ，２１ｂ，２２ａ，２２ｂ，２６ａ，２６ｂから形成される。図１２Ａ、図１２Ｂおよび図１３は、この実施形態の例を示している。図１２Ａおよび図１２Ｂは、メインサイドパネル１および２の約半分の幅を有する２つの延長部２１ａ，２１ｂ，２２ａ，２２ｂを示しており、外側表面上で閉口するまで、同様に接続ラインに沿って関節接合して、両延長部の間に開口した中央ラインを形成する。一方で、図１３において、この実施形態は、対応するパネルの外側表面上に折り畳まれるメインサイドパネル１および２の各々の単一の側面延長部２６ａ，２６ｂからなる。
【００４１】
図１４は、高さに応じて棚の深さが変化するディスプレイの別の好適な実施形態を示す。更に、ディスプレイは、ある傾斜を有する棚要素１５を有しており、これは、前記棚要素１５をそれぞれ異なる高さに載置されたトラバース３に配置することによって達成される。オプションのブラケット２５も広告目的で同一の実施形態に含まれている。
【００４２】
上述したような後部パネル１６を含むタイプのディスプレイに基づく実施形態も開示されている。更に、ディスプレイは、おおよそ２つの棚アセンブリの間に配置されたメインサイドパネル１および２のそれぞれに、切断ライン２３ａ，２３ｂを有してもよい。両方のラインは同じ高さに配置され、前記後部パネル１６の折罫線２４は、一方のサイドパネル１の切断ライン２３ａから他方のサイドパネル２の切断ライン２３ｂまで延在している。その結果として、ディスプレイを関節接合し、後方に折り畳み、本発明の特徴的な菱形形状に折り畳むことができる。これに対応して、アセンブリは、２倍のだけ小さな形状に折り畳むことができる。この実施形態を図１５、図１６Ａおよび図１６Ｂに示す。
【００４３】
図１７Ａおよび図１７Ｂは、本発明による別のディスプレイを示す。この場合、サイドパネル１，２、サイドカバー２０、および後部パネル１６は、垂直な折り畳みライン２８ａ，２８ｂ，２９ａ，２９ｂを有する単一のシート部品１９から形成される。シート部品は、好ましくは長方形であるが、ディスプレイをより魅力的にするために、特に上部に関して他の形状を有することができる。
【００４４】
このディスプレイでは、シート部品１９の側端部に２つのサイドパネル１，２が配置されている。更に、後部パネル１６は中央に配置され、サイドカバー２０は後部パネル１６のいずれかの側面の中間領域に配置される。
【００４５】
この実施形態は、ディスプレイの異なるパネルおよび技術的要素をより簡便な方法で覆い隠すことを可能にし、付加的な固定手段を必要とせずにディスプレイを組み立てることができる。従って、このアセンブリは、サイドパネル１，２がディスプレイの側面の内壁を形成するように折り畳まれる。図面に見られるように、サイドパネル１，２は、正面に配置され、サイドカバー２０に接続された垂直折り畳みライン２８ａ，２８ｂによって関節接合されていることが好ましい。次に、サイドカバー２０は、後部の折り畳みライン２９ａ，２９ｂによって関節接合され、両側にて後部パネル１６に接続される。
【００４６】
最後に、棚アセンブリの組立てを簡略化し、外的な固定要素を必要としないために、サイドパネル１，２は対のスロット３０を有しており、逆転したＵ字形状の切断部が残るように、スロット３０の上端部を切断ライン３０ａによって接続する。矩形リングの形態で、Ｕ字形状の端部に接続された対のトラバース３は、それぞれの端部領域５ａ，５ｂを介して係合させることができる。この目的のために、端部領域５ａ，５ｂを切断部３０ａに通過させる。
【００４７】
図１８Ａおよび図１８Ｂは、本発明による折り畳みディスプレイの別の実施形態を示す。
【００４８】
この場合、ディスプレイは、前の実施形態と同様に、対のスロット３０を設けたシート材料から製造された２つのメインサイドパネル１，２を有しており、スロット３０の上端部は、切断ライン３０ａによって接続されて、逆転したＵ字形状の切断部を形成している。更に、サイドパネル１，２は、垂直な接続ラインによって後部パネル１６に接続され、関節接合されている。
【００４９】
更に、ディスプレイは、それぞれの折罫線に関節接合されている２つのサイドフラップ１５ａ，１５ｃおよび後部フラップ１５ｂを有する２つの棚要素１５も有する。これらのサイドフラップ１５ａ，１５ｃは、ディスプレイのサービス位置において、他の実施形態で設けられるトラバースを省略することができるように、互いに対面し、かつ同じ高さに配置されたサイドパネル１，２の対のスロット３０に挿入される。
【００５０】
既に説明した要素に加えて、この実施形態において、ディスプレイは、サイドパネル１，２の外側表面と、棚要素１５の各々の２つのサイドフラップ１５ａ，１５ｃと、を被覆するサイドカバー２０も有する。これらの要素を適切に覆い隠すために、サイドカバー２０は、サイドパネル１，２の外側表面に固定されている。
【００５１】
この実施形態では、サイドパネル１，２、メインサイドカバー２０、および後部パネル１６は、垂直な折り畳みライン２８ａ，２８ｂ，２９ａ，２９ｂを有する単一のシート部品１９によって形成されることが特に好ましい。この場合、２つのサイドパネル１，２はシート部品１９の側端に位置し、後部パネル１６は中央に位置し、サイドカバー２０は前記後部パネル１６のいずれかの側面における中間領域に配置される。好ましくは、シート部品１９は長方形である。一旦ディスプレイが組み立てられると、ベースが１つの平面上に保持されなければならないという事実にもかかわらず、上端部は必ずしも平坦である必要はない。従って、この上端部は、他の代替的または奇抜な形状を有することができる。
【００５２】
図１９は、図１８Ａおよび図１８Ｂに関する代替的な実施形態を示しており、本図ではサイドパネル１および２が平行でない。更に、この場合、棚要素１５は、２つのサイドフラップ１５ａ，１５ｃを有するが、前の実施形態の後部フラップは有していない。
【００５３】
他の実施形態の場合と同様に、図１７〜図１９の実施形態によるシート材料は、ボール紙、プラスチック、発泡板またはそれらの均等物等の剛性または半剛性のシート材料である。このシート材料は、棚にディスプレイされる製品の重量を保持するのに十分な剛性を備えていなければならない。更に、パネルを折り畳まなければならない用途では、材料は可撓性を有していなければならない。
【００５４】
本発明を、好適な実施形態に関連付けて説明してきたが、そのような実施形態は、以下の特許請求の範囲の最も広い解釈によって定義される本発明を限定するものと見なすべきではない。
【図１】
2018537164.tif 000003
【図２】
2018537164.tif 000004
【図３】
2018537164.tif 000005
【図４】
2018537164.tif 000006
【図５】
2018537164.tif 000007
【図６】
2018537164.tif 000008
【図７Ａ】
2018537164.tif 000009
【図７Ｂ】
2018537164.tif 000010
【図７Ｃ】
2018537164.tif 000011
【図８Ａ】
2018537164.tif 000012
【図８Ｂ】
2018537164.tif 000013
【図９Ａ】
2018537164.tif 000014
【図９ｂ】
2018537164.tif 000015
【図９Ｃ】
2018537164.tif 000016
【図１０】
2018537164.tif 000017
【図１１】
2018537164.tif 000018
【図１２Ａ】
2018537164.tif 000019
【図１２Ｂ】
2018537164.tif 000020
【図１３】
2018537164.tif 000021
【図１４】
2018537164.tif 000022
【図１５】
2018537164.tif 000023
【図１６Ａ】
2018537164.tif 000024
【図１６Ｂ】
2018537164.tif 000025
【図１７Ａ−１７Ｂ】
2018537164.tif 000026
【図１８Ａ−１８Ｂ】
2018537164.tif 000027
【図１９】
2018537164.tif 000028
【手続補正書】
【提出日】平成30年7月13日(2018.7.13)
【手続補正１】
【補正対象書類名】明細書
【補正対象項目名】全文
【補正方法】変更
【補正の内容】
【発明の詳細な説明】
【技術分野】
【０００１】
本発明は、最適化された折り畳みディスプレイに関する。このディスプレイは、市販品ディスペンサとして使用することができ、また、シート材料、好ましくはボール紙、または類似の半可撓性材料から構築された折り畳み構造によって形成され、製品をディスプレイするための１つ以上の棚を含み、または収容することができる。
【０００２】
このディスプレイの構造は、平面状または折り畳まれた構成で輸送され、かつ、販売時またはディスプレイ時には自動的に、半自動的に、または組み立てが容易なシステムによって展開される。
【０００３】
このタイプのディスプレイは、通常の製品重量範囲が棚当たり５０ｋｇまでの（この範囲は、使用される材料および追加可能な内部補強材によって可変である）製品サンプルまたは製品サンプルのセットの通常の販売時点において広範に使用されている。
【背景技術】
【０００４】
上述したタイプのうち異なるディスプレイシステムが公知である。それらは、一般的に、ベース構造体と、該構造体に連結し、重量を担持するための棚アセンブリと、から構成される。
【０００５】
このタイプのディスプレイの最も複雑な点は、ディスプレイの体積を低減させた状態で輸送するための折り畳みシステムに関する。この特徴は、重要な利便性および重要なロジスティック上の利点を表し、達成するのが望ましい特性である。従って、実装および革新を達成するために、多くの開発者および発明者が、この意味で極めて努力してきた。
【０００６】
特許文献１は、販売を目的とした製品をディスプレイおよび支持するための、任意の軽量な半剛性材料、好ましくはボール紙またはプラスチックから製造された自己組立て式折り畳みディスプレイを開示している。このディスプレイは、後部領域と、下方のベースボードによって正面で接続される２つのサイドフラップと、によって形成される本体を含む。後部領域およびベースボードの両方に、ディスプレイが展開されると完全に直線的な蛇腹状の折り畳みラインが生じる。更に、ディスプレイには、複数の棚を側面のうちの１つに固定し、他方の側面に設けられた手段の重力によって他方の側面を支持するための接続手段を有する複数の棚が設けられている。従って、ディスプレイは、その中に棚を収めつつ平坦に折り畳むことができる。
【０００７】
特許文献２は、ダイカットおよびベントシートから得られる、単一シートのシート材料を少なくとも２つの垂直な折り畳みラインに沿って折り曲げることによって生じる、少なくとも３つの外側ベアリング壁を有する折り畳み式棚システムを開示している。この３つの壁により、棚システムを直立状態に保持することができる。ベアリング壁の一部からの１セットの棚は、ダイカットおよび折り曲げによって得られ、棚はベアリング壁に垂直となる。
【０００８】
特許文献３は、底部、側面、空中棚、ベースの棚および延長部から構成され、展開によって組み立て可能なディスプレイを開示している。該ディスプレイの主な特徴は、ディスプレイの部品が互いに適切に接着された状態で予め組み立てられて供給される点にある。組み立ては、展開、折り曲げ、およびその部品を組み合わせることによって実施される。逆に、ディスプレイを折り畳んで包装して別の場所に輸送することもできる。
【０００９】
特許文献４は、ポリプロピレンから製造された多層構造のパネルを含むモジュール式折り畳みスタンドを開示している。このスタンドは、第１パネルを後面、左側面および右側面に分割する２つの垂直な折り目を含む。側面部分は、後面に向けて１８０°まで折り畳まれる。後面は複数の水平スロットを含み、側面部分は複数のスロットに対応する複数の孔を含む。更に、側面の孔に挿入可能な複数のロッドが設けられている。ポリプロピレンの多層構造を含む複数の棚は該ロッド上に載置され、後部パネルのスロットに挿入されるフラップを含む。
【００１０】
特許文献５は、半剛性材料から製造され、２つの側壁および少なくとも１つのベアリング板によって接続されたフロントパネルおよび底壁を含むディスプレイを開示している。該ディスプレイは折り畳み可能であり、該フロント部分および該底壁は互いに対して配置されている。
【００１１】
特許文献６は、販売ディスプレイ内の棚または商品キャリアを支持するためのキャリア要素を開示している。このキャリア要素は、支持面および側面を有する単一の中空プロファイルとして形成される。中空プロファイルを補強するために、支持面を支持するための支持部材は、支持面中心面に垂直な平面に沿って延在しており、該支持部材は、対向する側面の少なくとも1つに当接している。
【００１２】
現在の技術水準で言及されるディスプレイは、その機能的な目的を果たしているが、本発明によって達成されるような単純化および性能を達成していない。本発明の特徴を以下に説明する。
【先行技術文献】
【特許文献】
【００１３】
【特許文献１】スペイン国特許出願公開第２３７９３３４（Ａ１）号明細書
【特許文献２】スペイン国実用新案第１１１０００５（Ｕ）号明細書
【特許文献３】スペイン国特許出願公開第２２９３７８４（Ａ１）号明細書
【特許文献４】欧州特許出願公開第２５４８４７７（Ａ２）号明細書
【特許文献５】仏国実用新案証公開第２９８４７０５（Ａ３）号明細書
【特許文献６】独国実用新案第２０２０１３１００２３１（Ｕ１）号明細書
【発明の概要】
【００１４】
本発明の目的は、この欠点を克服することである。これは、上記のタイプの最適化された折り畳みディスプレイによって達成されるが、このディスプレイは、
（ａ）互いに所定距離をおいて平行に配置され、ボール紙、木材等を含むグループのうちの剛性シート材料から製造された２つの対向するメインサイドパネルであって、それぞれが垂直な第１スロットまたは切断部のセットを有し、前記２つのサイドパネルの一方の第１スロットまたは切断部は、前記２つのサイドパネルの他方の第１スロットまたは切断部に対称的に類似しており、前記サイドパネルの一方の第１スロットまたは切断部は、前記２つのパネルのうちの他方の対応する第１スロットまたは切断部に対面している、メインサイドパネルと、
（ｂ）半可撓性シート材料の細長い矩形板によって形成されたトラバースアセンブリであって、
（ｉ）前記メインサイドパネルの分離距離と同じ長さを有する中央領域と、
（ｉｉ）折罫線によって関節接合可能な少なくとも２つの端部領域と、
に分割されるトラバースアセンブリと、を含み、
（ｃ）前記各トラバースの少なくとも２つの端部領域は、前記サイドパネルの対面する第１スロットまたは切断部に同様に通され、前記少なくとも２つの端部領域は、前記折罫線に沿って、前記各サイドパネルの対応する外側表面に向けて折り曲げられることによって折り畳まれており、
（ｄ）前記少なくとも２つの端部領域の各々を平坦にして、対応するサイドパネルの外側表面に固定するために、前記トラバースの中央領域に隣接する前記少なくとも２つの端部領域を固定するための、接着剤、ステープル、ファスナ、アンカー等を含むグループのうちの固定手段を含み、
（ｅ）前記トラバースのうち少なくとも２つは、前記サイドパネルの対応する外側表面に接続された前記トラバースアセンブリが、関節接合された菱形を形成するように、前記トラバースの平面が所定距離だけ離間しており、展開位置から折り畳み位置に斜めに畳むことができ、
（ｆ）前記ディスプレイの２つのサイドパネルの間に配置され、かつ、同様の高さに配置された前記トラバースのうち少なくとも２つの上に平坦に載置されて、棚アセンブリを形成する少なくとも１つの棚要素を含むことを特徴とする。
【００１５】
本発明は、特に、前記ディスプレイを構築するプロセス中の処理時間の大幅な短縮を達成することに焦点を当てた、簡素化された構造を有するディスプレイを提供する。この利点は、生産コストの削減という点で重要なものであり、従って、その類の他のディスプレイと比較して非常に競争力のある製品として分類することができる。
【００１６】
システム要素の組み合わせにより、同じ材料で構築された他の同様のディスプレイに対して、耐荷重の高い棚要素を保持するための構造を暗黙的かつ自然に提供する。
【００１７】
本発明の別の特徴によれば、最適化された折り畳みディスプレイは、更に、
（ａ）前記サイドパネルの外側表面および前記トラバースの端部領域を被覆するサイドカバーを含み、
（ｂ）前記サイドカバーは、
（ｉ）前記サイドパネルの外側表面に固定され、
（ｉｉ）ボール紙等を含むグループのうちの材料から製造され、かつ、
（ｉｉｉ）接着剤、ステープル、ファスナ等を含むグループのうちの従来の固定手段によって保持される。
【００１８】
本発明の別の特徴によれば、前記中央領域および前記２つの隣接する端部領域に加えて、前記トラバースは、前記トラバースの各端部に１つずつ、折罫線によって関節接合可能な２つの付加的な端部領域を含む。ここで、前記各トラバースの付加的な端部領域はそれぞれ、前記サイドパネルの各々に設けられた第２スロットを通って挿入され、前記サイドパネルに再度挿入されてリンクを形成し、前記リンクは、対応するトラバースのための保持手段として使用される。
【００１９】
本発明の別の特徴によれば、前記ディスプレイは異なる高さに複数の棚アセンブリを有し、前記棚アセンブリは、前記棚要素および前記トラバースのうち少なくとも２つによって形成される。
【００２０】
本発明の別の特徴によれば、前記サイドパネルは、前記トラバースの中央領域の長さと同じ幅を有する後部パネルによって接続され、前記サイドパネルは、垂直な接続ラインによって前記後部パネルに関節接合している。
【００２１】
本発明の別の特徴によれば、前記サイドパネルは、前記棚の間の中間高さに水平な切断ラインを有し、また、前記後部パネルは、前記切断ラインの各々の間に延在し、切断ラインに整列する折罫線を有することで、前記ディスプレイの下部および上部を形成し、前記上部は、関節接合可能であり、かつ１８０°まで後方に前記下部上まで折り曲げることができる。
【００２２】
本発明の別の特徴によれば、前記サイドパネルのサイドカバーは、サイドパネル自体の各々の少なくとも１つのサイド延長部から形成され、前記サイド延長部は、前記トラバースの少なくとも２つの端部領域を被覆するまで、それらを折り曲げかつ折り畳むことができる垂直な折罫線によって関節接合される。
【００２３】
本発明の別の特徴によれば、棚アセンブリの前記棚要素を担持する少なくとも２つのトラバースを同じ高さに配置せず、棚要素を前記トラバースに載置する際に、結果的に、前記棚要素が特定の傾斜角を有するようにする。
【００２４】
本発明の別の特徴によれば、前記複数の棚アセンブリのうちの棚アセンブリを、それらが組み立てられる高さに応じて相対的に離間させ深さを減少させることで、階段状の構成を有するディスプレイアセンブリを生じさせる。
【００２５】
本発明の別の特徴によれば、ディスプレイは、前記関節接合された菱形の主対角線上に配置された弾性トラクションシステムを更に備え、前記弾性システムは、前記ディスプレイが折り畳み位置にあるとき、前記ディスプレイを展開位置または稼働位置に自発的に遷移させる力を生じさせる。
【００２６】
優先権の年度中に実施され、本発明によるディスプレイの性能を更に改善する本発明の他の付加的な改良を、以下に記載する。
【００２７】
本発明の別の特徴によれば、前記棚要素を担持するための前記トラバースが収容されている前記サイドパネルと、前記サイドカバーと、前記後部パネルとは、折り畳みラインを有する単一のシート部品から形成されることで、前記２つのサイドパネルは前記シート部品の側端に配置され、前記後部パネルは中央に配置され、かつ前記サイドカバーは前記後部パネルのいずれかの側面上の中間領域に配置されるようにする。また、前記サイドパネルが前記ディスプレイの側面の内壁を形成するように、アセンブリを折り畳み、前記サイドパネルを折り畳みラインによって関節接合し、正面に配置して、前記サイドカバーに接続し、前記サイドカバーを後部の折り畳みラインによって関節接合して、両側の前記後部パネルに接続する。また、前記サイドパネルは、対のスロットを有しており、逆転したＵ字形状の切断部が残るように、スロットの上端部を切断ラインによって接続し、前記端部領域を通る矩形リングの形態で、その端部で連結された対のトラバースを係合させて、前記端部領域を前記切断部に通過させる。
【００２８】
結果として、一旦トラバースおよび棚要素が配置されると、サイドパネルはトラバース自体およびその内面の棚要素によって保持され、接着剤、ファスナ、ネジ等の他の固定手段を回避する故に、アセンブリは自己組立てする。アセンブリをよりコンパクトに折り畳むために、折り畳みラインは垂直であることが好ましい。
【００２９】
本発明の別の特徴によれば、ディスプレイは、シート材料から製造された２つのメインサイドパネルであって、それぞれに逆転したＵ字形状の切断部が残るように、その上端部が切断ラインによって接続されている対のスロットを有する前記メインサイドパネルと、前記サイドパネルを連結する後部パネルであって、垂直な接続ラインによって前記サイドパネルに関節接合される前記後部パネルと、折罫線によって関節接合可能であり、前記ディスプレイのサービス位置において、互いに対面しており、同じ高さを有する前記サイドパネルの対のスロットに挿入されるように構成された少なくとも２つのサイドフラップを有する少なくとも１つの棚要素と、前記サイドパネルおよび前記少なくとも２つのサイドフラップの外側表面を被覆するサイドカバーと、を含み、前記サイドカバーは、前記サイドパネルの外側表面に固定されており、前記少なくとも１つの棚要素、前記メインサイドカバーおよび前記後部パネルが収納されている前記サイドパネルは、折り畳みラインを有する単一のシート部品から形成されることで、前記２つのサイドパネルは前記シート部品の側端部に位置し、前記後部パネルは中央に位置し、かつ前記サイドカバーは、前記後部パネルのいずれかの側面上の中間領域に配置する。結果的に、必要なダイが少なくて済む故に、製造コストおよび組立てコストを大幅に削減する。相乗的に、この構成は、サイドパネル、後部パネルおよびサイドカバーを形成するシート部品の構成の結果としてディスプレイが組み立てられた状態で保持される故、任意のタイプの保持手段を不要とすることができる。シート部品は好ましくは矩形であり、折り畳みラインは好ましくは垂直である。
【００３０】
首尾一貫したアセンブリの構造の結果として、接着剤または取り付け要素を使用せずにディスプレイを構築することができ、最先端技術で知られているディスプレイに関する競争力の点で最上の選択肢となる。
【００３１】
本発明をよりよく理解するために、本発明の実施形態の図面を、非限定的な実施例として含むものとする。
【図面の簡単な説明】
【００３２】
【図１】最も基本的な形態のトラバースを示す説明図である。
【図２】一対のトラバースがメインサイドパネルに組み付けられる方法を示す説明図である。
【図３】一対のトラバースがメインサイドパネルに組み付けられる方法を示す説明図であって、更に、例えば、接着剤等の端部領域用の可能な固定手段を示す説明図である。
【図４】折罫線によって関節接合されている、各側面に２つの端部領域を有するトラバースを示す説明図である。
【図５】図４による２つの端部領域を有するトラバースが、前記パネルに設けられた付加的なスロットによってメインサイドパネルに組み付けられる方法を示す説明図である。
【図６】図４による２つの端部領域を有するトラバースが、前記パネルに設けられた付加的なスロットによってメインサイドパネルに組み付けられる方法を示す説明図である。
【図７Ａ】トラバースの端部領域をメインサイドパネルに固定する方法を示す説明図である。
【図７Ｂ】トラバースの端部領域をメインサイドパネルに固定する方法を示す説明図である。
【図７Ｃ】トラバースの端部領域をメインサイドパネルに固定する方法を示す説明図である。
【図８Ａ】後部パネルを有するディスプレイおよび棚要素の配置方法を示す説明図である。
【図８Ｂ】後部パネルを有するディスプレイおよび棚要素の配置方法を示す説明図である。
【図９Ａ】ディスプレイを対角線上に平らにすることによるディスプレイの折り畳み方法を示す説明図である。
【図９Ｂ】ディスプレイを対角線上に平らにすることによるディスプレイの折り畳み方法を示す説明図である。
【図９Ｃ】ディスプレイを対角線上に平らにすることによるディスプレイの折り畳み方法を示す説明図である。
【図１０】サイドカバーをディスプレイに組み付ける方法および完成品を示す説明図である。
【図１１】サイドカバーをディスプレイに組み付ける方法および完成品を示す説明図である。
【図１２Ａ】メインサイドパネル自体の延長部から形成されたサイドカバーの例を示す説明図である。
【図１２Ｂ】メインサイドパネル自体の延長部から形成されたサイドカバーの例を示す説明図である。
【図１３】メインサイドパネル自体の延長部から形成されたサイドカバーの例を示す説明図である。
【図１４】高さに応じて棚の深さが変化するディスプレイと、ある傾きを有する棚要素とを示しており、オプションのブラケットも含まれる説明図である。
【図１５】側面を切断ラインによって分割したディスプレイの可能性を示しており、その結果として、２倍だけ小さな形状に折り畳み可能なアセンブリの説明図である。
【図１６Ａ】側面を切断ラインによって分割したディスプレイの可能性を示しており、その結果として、２倍だけ小さな形状に折り畳み可能なアセンブリの説明図である。
【図１６Ｂ】側面を切断ラインによって分割したディスプレイの可能性を示しており、その結果として、２倍だけ小さな形状に折り畳み可能なアセンブリの説明図である。
【図１７Ａ】矩形リングの形態で、端部で連結された対のトラバースによってその内部にトラバースアセンブリを形成したディスプレイと、前記矩形リングが、メインサイドパネルに設けられた対の逆転したＵ字形状のスロットに嵌合する方法と、を示す説明図である。
【図１７Ｂ】矩形リングの形態で、端部で連結された対のトラバースによってその内部にトラバースアセンブリを形成したディスプレイと、前記矩形リングが、メインサイドパネルに設けられた対の逆転したＵ字形状のスロットに嵌合する方法と、を示す説明図である。
【図１８Ａ】棚要素に固定フラップを組み込んだ本発明によるディスプレイを示す説明図である。
【図１８Ｂ】棚要素に固定フラップを組み込んだ本発明によるディスプレイを示す説明図である。
【図１９】図１８Ａおよび図１８Ｂのディスプレイの代替的な実施形態を示す説明図である。
【発明を実施するための形態】
【００３３】
簡略化および明瞭化のために、図面の大部分は、必要不可欠ではないと考えられる特定の細部の詳細を示さずに、図式的な形態のディスプレイを示すことにする。
【００３４】
最初に、図１は、最も基本的な形態のトラバースアセンブリ３の好適な実施形態を示しており、中央領域４と、２つの端部領域５ａおよび５ｂと、異なる領域を関節接合可能な折罫線６ａおよび６ｂと、前記端部領域５ａおよび５ｂを固定するための固定手段１１，１２，１３，１４を補助するのに有用なオプションのスロット１７と、を示している。
【００３５】
ディスプレイの好ましい基本的な実施形態は、図２および図３に示されるようなアセンブリから始まる。トラバース３の端部領域５ａおよび５ｂをメインサイドパネル１および２に設けられた第１スロット９ａおよび９ｂに通して、トラバース３をメインサイドパネル１および２に組み付ける。続いて、それらを折罫線６ａおよび６ｂに沿って折り畳み、最終的に固定を目的とした固定手段１１，１２，１３，１４によってパネルの外側表面に固定する。以下の図面に示すように、棚要素１５が配置されると、基本的なディスプレイが完成する。
【００３６】
図４は、２つの付加的な端部領域７ａおよび７ｂを有するトラバース３の実施形態を示しており、図５および図６は、前記トラバース部３が、前記サイドパネル１および２に設けられた付加的な第２スロット１０ａ，１０ｂによってメインサイドパネル１および２に組み付けられる方法を示している。トラバース３の各側面の２つの付加的な端部領域７ａおよび７ｂは、第１スロット９ａ，９ｂを通じて挿入される。次に、それらは折罫線８ａ，８ｂ，６ａ，６ｂに沿って折り曲げられ、最終的に、付加的な端部領域７ａ，７ｂは、第２スロット１０ａ，１０ｂを通じて再挿入される。前記アセンブリは、前記トラバース３およびその端部領域の固定手段として有用である。
【００３７】
図７Ａ、図７Ｂおよび図７Ｃは、トラバース３の端部領域５ａ，５ｂをメインサイドパネル１および２に固定するための固定手段の好適な実施形態を示す。図面は、図７Ａにてリベット、ネジまたはファスナシステム１２を示し、図７Ｂにて突出タブシステム１３を示し、かつ、端部領域５ａおよび５ｂが、２つの隣接する第１スロット９ａを通って対応するサイドパネル１，２を挟む単一領域１４に融合されたシステムを示している。
【００３８】
図８Ａおよび図８Ｂに概略的に示す好適な実施形態では、ディスプレイは、２つのメインサイドパネル１および２を接続する後部パネル１６を備える。後部パネル１６は、垂直な接続ラインを介してメインサイドパネル１および２に関節接合している。図面は、更に、棚要素１５の配置方法を示している。
【００３９】
本発明の別の特徴によれば、記載されたディスプレイは、平坦な構成を達成するまで折り畳むことができ、このプロセスは図９Ａ、図９Ｂおよび図９Ｃに示されている。トラバース３の平行な構成の結果として、トラバース３並びにサイドパネル１および２の全ての表面が最終的に同一平面上になるまで、斜めに折り畳むことができる菱形の形状に従ってトラバース３を関節接合することができる。
【００４０】
図１０および図１１に示された本発明の別の好適な実施形態では、トラバースアセンブリ３並びにメインサイドパネル１および２に加えて、ディスプレイは、前記メインサイドパネル１および２の外側表面に固定されるサイドカバー２０を含むことによって、トラバース３の後面並びに端部５ａおよび５ｂを覆い隠す。
【００４１】
本発明の別の好適な実施形態によれば、サイドカバー２０は、メインサイドパネル１および２自体の延在部または延長部２１ａ，２１ｂ，２２ａ，２２ｂ，２６ａ，２６ｂから形成される。図１２Ａ、図１２Ｂおよび図１３は、この実施形態の例を示している。図１２Ａおよび図１２Ｂは、メインサイドパネル１および２の約半分の幅を有する２つの延長部２１ａ，２１ｂ，２２ａ，２２ｂを示しており、外側表面上で閉口するまで、同様に接続ラインに沿って関節接合して、両延長部の間に開口した中央ラインを形成する。一方で、図１３において、この実施形態は、対応するパネルの外側表面上に折り畳まれるメインサイドパネル１および２の各々の単一の側面延長部２６ａ，２６ｂからなる。
【００４２】
図１４は、高さに応じて棚の深さが変化するディスプレイの別の好適な実施形態を示す。更に、ディスプレイは、ある傾斜を有する棚要素１５を有しており、これは、前記棚要素１５をそれぞれ異なる高さに載置されたトラバース３に配置することによって達成される。オプションのブラケット２５も広告目的で同一の実施形態に含まれている。
【００４３】
上述したような後部パネル１６を含むタイプのディスプレイに基づく実施形態も開示されている。更に、ディスプレイは、おおよそ２つの棚アセンブリの間に配置されたメインサイドパネル１および２のそれぞれに、切断ライン２３ａ，２３ｂを有してもよい。両方のラインは同じ高さに配置され、前記後部パネル１６の折罫線２４は、一方のサイドパネル１の切断ライン２３ａから他方のサイドパネル２の切断ライン２３ｂまで延在している。その結果として、ディスプレイを関節接合し、後方に折り畳み、本発明の特徴的な菱形形状に折り畳むことができる。これに対応して、アセンブリは、２倍のだけ小さな形状に折り畳むことができる。この実施形態を図１５、図１６Ａおよび図１６Ｂに示す。
【００４４】
図１７Ａおよび図１７Ｂは、本発明による別のディスプレイを示す。この場合、サイドパネル１，２、サイドカバー２０、および後部パネル１６は、垂直な折り畳みライン２８ａ，２８ｂ，２９ａ，２９ｂを有する単一のシート部品１９から形成される。シート部品は、好ましくは長方形であるが、ディスプレイをより魅力的にするために、特に上部に関して他の形状を有することができる。
【００４５】
このディスプレイでは、シート部品１９の側端部に２つのサイドパネル１，２が配置されている。更に、後部パネル１６は中央に配置され、サイドカバー２０は後部パネル１６のいずれかの側面の中間領域に配置される。
【００４６】
この実施形態は、ディスプレイの異なるパネルおよび技術的要素をより簡便な方法で覆い隠すことを可能にし、付加的な固定手段を必要とせずにディスプレイを組み立てることができる。従って、このアセンブリは、サイドパネル１，２がディスプレイの側面の内壁を形成するように折り畳まれる。図面に見られるように、サイドパネル１，２は、正面に配置され、サイドカバー２０に接続された垂直折り畳みライン２８ａ，２８ｂによって関節接合されていることが好ましい。次に、サイドカバー２０は、後部の折り畳みライン２９ａ，２９ｂによって関節接合され、両側にて後部パネル１６に接続される。
【００４７】
最後に、棚アセンブリの組立てを簡略化し、外的な固定要素を必要としないために、サイドパネル１，２は対のスロット３０を有しており、逆転したＵ字形状の切断部が残るように、スロット３０の上端部を切断ライン３０ａによって接続する。矩形リングの形態で、Ｕ字形状の端部に接続された対のトラバース３は、それぞれの端部領域５ａ，５ｂを介して係合させることができる。この目的のために、端部領域５ａ，５ｂを切断部３０ａに通過させる。
【００４８】
図１８Ａおよび図１８Ｂは、本発明による折り畳みディスプレイの別の実施形態を示す。
【００４９】
この場合、ディスプレイは、前の実施形態と同様に、対のスロット３０を設けたシート材料から製造された２つのメインサイドパネル１，２を有しており、スロット３０の上端部は、切断ライン３０ａによって接続されて、逆転したＵ字形状の切断部を形成している。更に、サイドパネル１，２は、垂直な接続ラインによって後部パネル１６に接続され、関節接合されている。
【００５０】
更に、ディスプレイは、それぞれの折罫線に関節接合されている２つのサイドフラップ１５ａ，１５ｃおよび後部フラップ１５ｂを有する２つの棚要素１５も有する。これらのサイドフラップ１５ａ，１５ｃは、ディスプレイのサービス位置において、他の実施形態で設けられるトラバースを省略することができるように、互いに対面し、かつ同じ高さに配置されたサイドパネル１，２の対のスロット３０に挿入される。
【００５１】
既に説明した要素に加えて、この実施形態において、ディスプレイは、サイドパネル１，２の外側表面と、棚要素１５の各々の２つのサイドフラップ１５ａ，１５ｃと、を被覆するサイドカバー２０も有する。これらの要素を適切に覆い隠すために、サイドカバー２０は、サイドパネル１，２の外側表面に固定されている。
【００５２】
この実施形態では、サイドパネル１，２、メインサイドカバー２０、および後部パネル１６は、垂直な折り畳みライン２８ａ，２８ｂ，２９ａ，２９ｂを有する単一のシート部品１９によって形成されることが特に好ましい。この場合、２つのサイドパネル１，２はシート部品１９の側端に位置し、後部パネル１６は中央に位置し、サイドカバー２０は前記後部パネル１６のいずれかの側面における中間領域に配置される。好ましくは、シート部品１９は長方形である。一旦ディスプレイが組み立てられると、ベースが１つの平面上に保持されなければならないという事実にもかかわらず、上端部は必ずしも平坦である必要はない。従って、この上端部は、他の代替的または奇抜な形状を有することができる。
【００５３】
図１９は、図１８Ａおよび図１８Ｂに関する代替的な実施形態を示しており、本図ではサイドパネル１および２が平行でない。更に、この場合、棚要素１５は、２つのサイドフラップ１５ａ，１５ｃを有するが、前の実施形態の後部フラップは有していない。
【００５４】
他の実施形態の場合と同様に、図１７〜図１９の実施形態によるシート材料は、ボール紙、プラスチック、発泡板またはそれらの均等物等の剛性または半剛性のシート材料である。このシート材料は、棚にディスプレイされる製品の重量を保持するのに十分な剛性を備えていなければならない。更に、パネルを折り畳まなければならない用途では、材料は可撓性を有していなければならない。
【００５５】
本発明を、好適な実施形態に関連付けて説明してきたが、そのような実施形態は、以下の特許請求の範囲の最も広い解釈によって定義される本発明を限定するものと見なすべきではない。
【手続補正２】
【補正対象書類名】特許請求の範囲
【補正対象項目名】全文
【補正方法】変更
【補正の内容】
【特許請求の範囲】
【請求項１】
最適化された折り畳みディスプレイであって、
（ａ）互いに所定距離をおいて平行に配置され、ボール紙、木材等を含むグループのうちの剛性シート材料から製造された２つの対向するメインサイドパネル（１，２）であって、それぞれが垂直な第１スロットまたは切断部のセット（９ａ，９ｂ）を有し、前記２つのサイドパネル（１，２）の一方の第１スロットまたは切断部（９ａ）は、前記２つのサイドパネル（１，２）の他方の第１スロットまたは切断部（９ｂ）に対称的に類似しており、前記サイドパネル（１，２）の一方の第１スロットまたは切断部（９ａ，９ｂ）は、前記２つのパネル（１，２）のうちの他方の対応する第１スロットまたは切断部（９ａ，９ｂ）に対面している、メインサイドパネル（１，２）と、
（ｂ）半可撓性シート材料の細長い矩形板によって形成されたトラバースアセンブリ（３）であって、
（ｉ）前記メインサイドパネル（１，２）の分離距離と同じ長さを有する中央領域（４）と、
（ｉｉ）折罫線（６ａ，６ｂ）によって関節接合可能な少なくとも２つの端部領域（５ａ，５ｂ）と、
に分割されるトラバースアセンブリ（３）と、を含み、
（ｃ）前記各トラバース（３）の少なくとも２つの端部領域（５ａ，５ｂ）は、前記サイドパネル（１，２）の対面する第１スロットまたは切断部（９ａ，９ｂ）に同様に通され、前記少なくとも２つの端部領域（５ａ，５ｂ）は、前記折罫線（６ａ，６ｂ）に沿って、前記各サイドパネル（１，２）の対応する外側表面に向けて折り曲げられることによって折り畳まれており、
（ｄ）前記少なくとも２つの端部領域（５ａ，５ｂ）の各々を平坦にして、対応するサイドパネル（１，２）の外側表面に固定するために、前記トラバース（３）の中央領域（４）に隣接する少なくとも２つの端部領域（５ａ，５ｂ）を固定するための、接着剤、ステープル、ファスナ、アンカー等を含むグループのうちの固定手段（１１，１２，１３，１４）を含み、
（ｅ）前記トラバース（３）のうち少なくとも２つは、前記サイドパネル（１，２）の対応する外側表面に接続された前記トラバースアセンブリ（３）が、関節接合された菱形を形成するように、前記トラバース（３）の平面が所定距離だけ離間しており、展開位置から折り畳み位置に斜めに畳むことができ、
（ｆ）前記ディスプレイの２つのサイドパネル（１，２）の間に配置され、かつ、同様の高さに配置された前記トラバース（３）のうち少なくとも２つの上に平坦に載置されて、棚アセンブリを形成する少なくとも１つの棚要素（１５）を含むことを特徴とする、最適化された折り畳みディスプレイ。
【請求項２】
請求項１に記載の最適化された折り畳みディスプレイであって、更に、
（ａ）前記サイドパネル（１，２）の外側表面および前記トラバース（３）の端部領域（５ａ，５ｂ）を被覆するサイドカバー（２０）を含み、
（ｂ）前記サイドカバー（２０）は、
（ｉ）前記サイドパネル（１，２）の外側表面に固定され、
（ｉｉ）ボール紙等を含むグループのうちの材料から製造され、かつ、
（ｉｉｉ）接着剤、ステープル、ファスナ等を含むグループのうちの従来の固定手段によって保持されることを特徴とする、最適化された折り畳みディスプレイ。
【請求項３】
請求項１または２のいずれか一項に記載のディスプレイであって、
前記中央領域（４）および前記２つの隣接する端部領域（５ａ，５ｂ）に加えて、前記トラバース（３）は、前記トラバース（３）の各端部に１つずつ、折罫線（８ａ，８ｂ）によって関節接合可能な２つの付加的な端部領域（７ａ，７ｂ）を含み、前記各トラバース（３）の付加的な端部領域（７ａ，７ｂ）はそれぞれ、前記サイドパネル（１，２）の各々に設けられた第２スロット（１０ａ，１０ｂ）を通って挿入され、前記サイドパネル（１，２）に再度挿入されてリンクを形成し、前記リンクは、対応するトラバース（３）のための保持手段として使用されることを特徴とする、ディスプレイ。
【請求項４】
請求項１〜３のいずれか一項に記載のディスプレイであって、前記ディスプレイは異なる高さに複数の棚アセンブリを有し、前記棚アセンブリは、前記棚要素（１５）および前記トラバース（３）のうち少なくとも２つによって形成されることを特徴とする、ディスプレイ。
【請求項５】
請求項１〜４のいずれか一項に記載のディスプレイであって、前記サイドパネル（１，２）は、前記トラバース（３）の中央領域（４）の長さと同じ幅を有する後部パネル（１６）によって接続され、前記サイドパネル（１，２）は、垂直な接続ラインによって前記後部パネル（１６）に関節接合していることを特徴とする、ディスプレイ。
【請求項６】
請求項５に記載のディスプレイであって、前記サイドパネル（１，２）は、前記棚の間の中間高さに水平な切断ライン（２３ａ，２３ｂ）を有し、また、前記後部パネル（１６）は、前記切断ライン（２３ａ，２３ｂ）の各々の間に延在し、前記切断ラインに整列する折罫線（２４）を有することで、前記ディスプレイの下部および上部を形成し、前記上部は、関節接合可能であり、かつ１８０°まで後方に前記下部上まで折り曲げ可能であることを特徴とする、ディスプレイ。
【請求項７】
請求項１〜６のいずれか一項に記載のディスプレイであって、前記サイドパネル（１，２）のサイドカバー（２０）は、前記サイドパネル（１，２）自体の各々の少なくとも１つのサイド延長部（２１ａ，２１ｂ，２２ａ，２２ｂ，２６ａ，２６ｂ）から形成され、前記サイド延長部（２１ａ，２１ｂ，２２ａ，２２ｂ，２６ａ，２６ｂ）は、前記トラバース（３）の少なくとも２つの端部領域（５ａ，５ｂ）を被覆するまで、それらを折り曲げかつ折り畳むことができる垂直な折罫線によって関節接合されることを特徴とする、ディスプレイ。
【請求項８】
請求項１〜７のいずれか一項に記載のディスプレイであって、前記棚アセンブリの棚要素（１５）を担持する少なくとも２つのトラバース（３）を同じ高さに配置せず、前記棚要素（１５）を前記トラバース（３）に載置する際に、結果的に、前記棚要素（１５）が特定の傾斜角を有することを特徴とする、ディスプレイ。
【請求項９】
請求項４〜８のいずれか一項に記載のディスプレイであって、前記複数の棚アセンブリのうちの棚アセンブリを、それらが組み立てられる高さに応じて相対的に離間させ深さを減少させることで、階段状の構成を有するディスプレイアセンブリを生じさせることを特徴とする、ディスプレイ。
【請求項１０】
請求項１〜９のいずれか一項に記載のディスプレイであって、前記関節接合された菱形の主対角線上に配置された弾性トラクションシステムを更に備え、前記弾性システムは、前記ディスプレイが折り畳み位置にあるとき、前記ディスプレイを展開位置または稼働位置に自発的に遷移させる力を生じさせることを特徴とする、ディスプレイ。
【請求項１１】
請求項２に記載のディスプレイであって、
（ａ）前記棚要素（１５）を担持するための前記トラバース（３）が収容されている前記サイドパネル（１，２）と、前記サイドカバー（２０）と、前記後部パネル（１６）とは、折り畳みライン（２８ａ，２８ｂ，２９ａ，２９ｂ）を有する単一のシート部品（１９）から形成されることで、前記２つのサイドパネル（１，２）は前記シート部品（１９）の側端に配置され、前記後部パネル（１６）は中央に配置され、かつ前記サイドカバー（２０）は前記後部パネル（１６）のいずれかの側面上の中間領域に配置され、
（ｂ）前記サイドパネル（１，２）が前記ディスプレイの側面の内壁を形成するように、アセンブリを折り畳み、前記サイドパネル（１，２）を折り畳みライン（２８ａ，２８ｂ）によって関節接合し、正面に配置して、前記サイドカバー（２０）に接続し、前記サイドカバー（２０）は後部の折り畳みライン（２９ａ，２９ｂ）によって関節接合されて、両側の前記後部パネル（１６）に接続し、
（ｃ）前記サイドパネル（１，２）は、対のスロット（３０）を有しており、逆転したＵ字形状の切断部が残るように、前記スロットの上端部は切断ライン（３０ａ）によって接続され、前記端部領域（５ａ，５ｂ）を通る矩形リングの形態で、その端部で連結された対のトラバース（３）を係合させて、前記端部領域（５ａ，５ｂ）を前記切断部（３０ａ）に通過させることを特徴とする、ディスプレイ。
【国際調査報告】
2018537164.tif 000029
2018537164.tif 000030
2018537164.tif 000031
2018537164.tif 000032